(57)【要約】【課題】ＵＥとノードＢの間の情報のフローを制御する方法を提供する。【解決手段】ＵＥはノードＢに情報を送信することを要求する信号を制御チャネル上でノードＢに送信する。ＵＥは次いでＵＥが情報を送信することが許可される時刻を特定する信号を共用チャネル上でノードＢから受信する。その後、ＵＥは、その情報を含有する信号を特定された時刻にデータ・チャネル上でノードＢに送信する。【選択図】図１
2004350293.tif 000002
【特許請求の範囲】
【請求項１】
通信システムにおいて情報のフローを制御する方法であって、
情報を送信することを要求する信号を送信するステップと、
情報を送信することが許可される時刻を特定する信号を受信するステップと、
前記情報を含有する信号を特定された時刻に送信するステップとを含むことを特徴とする方法。
【請求項２】
前記特定された時刻に送信された前記情報を復号するために使用可能な情報を含有する信号を前記特定された時刻に送信するステップをさらに含むことを特徴とする請求項１に記載の方法。
【請求項３】
情報を送信することを要求する前記信号を送信するステップが、情報を送信することを要求する信号を制御チャネル上で送信するステップをさらに含むことを特徴とする請求項１に記載の方法。
【請求項４】
情報を送信することを要求する前記信号を送信するステップが、情報を送信することを要求する信号を周期的に送信するステップをさらに含むことを特徴とする請求項１に記載の方法。
【請求項５】
情報を送信することを要求する信号を周期的に送信するステップが、前記情報を含有する前記信号を前記特定された時刻に送信するステップと同時に前記周期的信号に応答して情報を送信することを要求する前記信号を周期的に送信するステップを一時的に抑制するステップをさらに含むことを特徴とする請求項４に記載の方法。
【請求項６】
前記情報を含有する前記信号を前記特定された時刻に送信するステップが、前記情報を含有する前記信号を前記特定された時刻にデータ・チャネル上で送信するステップをさらに含むことを特徴とする請求項１に記載の方法。
【請求項７】
情報を送信することが許可される前記時刻を特定する前記信号を受信するステップが、情報を送信することが許可される前記時刻を特定する前記信号を共用チャネル上で受信するステップをさらに含むことを特徴とする請求項１に記載の方法。
【請求項８】
情報を送信することが許可される前記時刻を特定する前記信号を受信するステップが、新しい情報を送信するか、古い情報を再送信するかを指示する信号を受信するステップをさらに含むことを特徴とする請求項１に記載の方法。
【請求項９】
情報のフローを制御する方法であって、
情報を送信することを要求する信号を受信するステップと、
情報を送信することが許可される時刻を特定する信号を送信するステップと、
前記情報を含有する信号を特定された時刻に受信するステップとを含むことを特徴とする方法。
【請求項１０】
情報を送信することを要求する前記信号を受信するステップが、情報を送信することを要求する前記信号を制御チャネル上で受信するステップをさらに含み、
情報を送信することが許可される前記時刻を特定する前記信号を送信するステップが、情報を送信することが許可される前記時刻を特定する前記信号を共用チャネル上で送信するステップをさらに含み、
前記情報を含有する前記信号を前記特定された時刻に受信するステップが、前記情報を含有する前記信号を前記特定された時刻にデータ・チャネル上で受信するステップをさらに含むことを特徴とする請求項９に記載の方法。
【発明の詳細な説明】
【技術分野】
【０００１】
本発明は、概して遠隔通信に関し、より詳細には無線通信に関する。
【背景技術】
【０００２】
セルラ電話などの無線遠隔通信の分野では、システムは一般に、そのシステムが処理すべき領域内に分配された複数のノードＢ（たとえば基地局）を含む。その場合、領域内の固定または移動の様々なユーザはシステム、したがってノードＢの１つまたは複数を介して他の相互接続された遠隔通信システムにアクセスすることができる。一般に、ＵＥ（たとえばユーザ）は、ユーザが移動する際、ユーザが１つのノードＢと通信し、次いで別のノードＢと通信することによって、領域を通過する際、システムとの通信を維持する。ユーザは最も近いノードＢ、最も強い信号をもつノードＢ、通信を可能にするのに十分な容量をもつノードＢなどと通信することができる。
【発明の開示】
【発明が解決しようとする課題】
【０００３】
通常、各ノードＢは複数のユーザとの複数の通信セッションを並列に処理するように構成される。このようにすると、多数の同時ユーザに通信能力を提供しながらもノードＢの数を制限することができる。一般に、各ユーザは概して、他のユーザの状態を顧慮せずにノードＢに情報を自由に送信する。すなわち、多数のユーザが同時にノードＢに情報を送信することができる。しかしながら、情報のこの規制されない転送は、部分的にでも送信が重複するユーザ間の干渉を引き起こすことがある。
【０００４】
比較的低い速度で音声を、さらにはデータを送信するシステムでは、重複する送信によって起こる干渉は通信セッションの品質に著しく影響を及ぼさない。しかしながら、インターネット、電子メールおよび他のデータ集中サービスの使用が遍在するようになったので、無線通信システムは現在これらの同じサービスの一部を提供しようと試みている。しかしながら、これらのタイプのサービスは大量のデータを比較的高い速度で送信する必要がある。高速で大量のデータを送信することを意図されたシステムでは、干渉は著しくなることがある。事実、重複する送信によって起こる干渉は、データを送信することができる速度にかなりの制限を加え、場合によっては高速データ通信を作動不能にすることがある。
【０００５】
本発明は上記の問題の１つまたは複数の影響を克服または少なくとも低減することを対象とする。
【課題を解決するための手段】
【０００６】
本発明の一態様では、通信システムにおいて情報のフローを制御する方法が提供される。この方法は、情報を送信することを要求する信号を送信するステップを備えることができる。情報を送信することが許可される時刻を特定する信号を受信することができる。その後、その情報を含有する信号を特定された時刻に送信することができる。
【０００７】
本発明の別の態様では、情報のフローを制御する装置が提供される。この装置は制御チャネル、データ・チャネル、共用チャネル、およびコントローラを備えることができる。コントローラは、装置から情報を送信することを要求する信号を制御チャネル上で送信し、装置が情報を送信することが許可される時刻を特定する信号を共用チャネル上で受信し、その情報を含有する信号を特定された時刻にデータ・チャネル上で送信するように構成される。
【０００８】
本発明のまた別の態様では、システムが提供される。このシステムはノードＢおよびＵＥを備えることができる。ＵＥは、ＵＥからノードＢに情報を送信することを要求する信号を送信するように構成することができる。ＵＥはまた、ＵＥが情報を送信することが許可される時刻を特定する信号を受信することができ、その情報を含有する信号を特定された時刻に送信するように構成される。
【０００９】
本発明のさらに別の態様では、情報のフローを制御する方法が提供される。この方法は、情報を送信することを要求する信号を受信するステップを備えることができる。次いで、情報を送信することが許可される時刻を特定する信号を送信することができる。特定された時刻に、その情報を含有する信号を受信することができる。
【００１０】
本発明は、同じ参照番号が同じ要素を特定する添付の図面とともに行う以下の説明を参照することによって理解することができる。
【００１１】
本発明は様々な修正および代替形態の余地があるが、その特定の実施形態を図面に例として図示してあり、本明細書で詳細に説明する。しかしながら、特定の実施形態についての本明細書での説明は開示する特定の形態に本発明を限定するものではなく、本発明は首記の特許請求の範囲によって定義される本発明の趣旨および範囲内に入るすべての改変物、均等物および代替物を包含するものであることを理解されたい。
【発明を実施するための最良の形態】
【００１２】
本発明の例示的な実施形態について以下で説明する。分かりやすさのために、実際の実装のすべての特徴について本明細書で説明するわけではない。もちろん、いかなるそのような実際の実施形態の開発では、実装ごとに異なるシステム関係およびビジネス関係制約とのコンプライアンスなど、開発者特定の目標を達成するために多数の実装特定の決定を行わなければならないことを諒解されよう。さらに、そのような開発努力は複雑で時間がかかることがあるとはいえ、この開示の特典を有する当業者にとっては日常的仕事であろうことを諒解されよう。
【００１３】
次に図面を見ると、特に図１を参照すると、本発明の一実施形態による通信システム１００が示されている。図示の目的で、図１の通信システム１００はユニバーサル移動電話システム（Ｕniversal Ｍobile Ｔelephone Ｓystem：ＵＭＴＳ）であるが、本発明はデータおよび／または音声通信をサポートする他のシステムに適用可能であることを理解されたい。通信システム１００は１つまたは複数のＵＥ１２０が１つまたは複数のノードＢ１３０を介してインターネットなどのデータ・ネットワーク１２５と通信することを可能にする。ＵＥ１２０は、セルラフォン、パーソナル・デジタル・アシスタント（Ｐersonal Ｄigital Ａssistants：ＰＤＡ）、ラップトップ・コンピュータ、デジタル・ページャ、無線カード、およびノードＢ１３０を介してデータ・ネットワーク１２５にアクセスすることが可能な他のデバイスを含む、様々なデバイスのいずれかの形態をとることができる。
【００１４】
一実施形態では、複数のノードＢ１３０はＴ１／Ｅ１回線または回路、ＡＴＭ回路、ケーブル、光デジタル加入者回線（Ｄigital Ｓubscriber Ｌine：ＤＳＬ）などの１つまたは複数の接続１３９によって無線ネットワーク・コントローラ（Ｒadio Ｎetwork Ｃontroller：ＲＮＣ）１３８に結合することができる。ただ２つのＲＮＣ１３８が示されているが、当業者なら複数のＲＮＣ１３８を利用して多数のノードＢ１３０とインターフェースすることができることを諒解しよう。概して、ＲＮＣ１３８は、それが接続されているノードＢ１３０を制御し、調整するように動作する。図１のＲＮＣ１３８は概して複製、通信、実行時間、およびシステム管理サービスを提供する。図示の実施形態のＲＮＣ１３８は呼パスの設定および終端などの発呼処理機能を処理し、ＵＥ１２０ごとに、ノードＢ１３０の各々によってサポートされるセクタごとに、順方向および／または逆方向リンク上でデータ送信速度を決定することが可能である。
【００１５】
ＲＮＣ１３８はＴ１／ＥＩ回線または回路、ＡＴＭ回路、ケーブル、光デジタル加入者回線（ＤＳＬ）などの様々な形態のいずれかをとることができる接続１４５を介してコア・ネットワーク（Ｃore Ｎetwork：ＣＮ）１６５に結合される。概してＣＮ１４０はデータ・ネットワーク１２５および／または公共電話システム（ＰＳＴＮ）１６０へのインターフェースとして動作する。ＣＮ１４０はユーザ認証などの様々な機能および動作を実行するが、ＣＮ１４０の構造および動作についての詳細な説明は本発明の理解および諒解に不要である。したがって、本発明を不必要に曖昧にするのを回避するために、ＣＮ１４０のさらなる詳細は本明細書で提示しない。
【００１６】
データ・ネットワーク１２５はインターネット・プロトコル（ＩＰ）に従うデータ・ネットワークなど、パケットスイッチ・データ・ネットワークとすることができる。ＩＰの１つのバージョンは１９８１年９月付けの「Ｉｎｔｅｒｎｅｔ  Ｐｒｏｔｏｃｏｌ」という名称のＲｅｑｕｅｓｔ  ｆｏｒ  Ｃｏｍｍｅｎｔｓ（ＲＦＣ）７９１に記載されている。ＩＰｖ６または他の接続無しパケットスイッチド標準など、ＩＰの他のバージョンもさらなる実施形態で利用することができる。ＩＰｖ６の一バージョンは１９９８年１２月付けの「Ｉｎｔｅｒｎｅｔ  Ｐｒｏｔｏｃｏｌ、Ｖｅｒｓｉｏｎ６（ＩＰｖ６）Ｓｐｅｃｉｆｉｃａｔｉｏｎ」という名称のＲＦＣ２４６０に記載されている。データ・ネットワーク１２５はまた、さらなる実施形態で他のタイプのパケットベース・データ・ネットワークを含むことができる。そのような他のパケットベース・データ・ネットワークの例としは非同期転送モード（ＡＴＭ）、フレーム・リレー・ネットワークなどがある。
【非特許文献１】「Ｉｎｔｅｒｎｅｔ  Ｐｒｏｔｏｃｏｌ」（Ｒｅｑｕｅｓｔ  ｆｏｒ  Ｃｏｍｍｅｎｔｓ（ＲＦＣ）７９１、１９８１年９月）
【非特許文献２】「Ｉｎｔｅｒｎｅｔ  Ｐｒｏｔｏｃｏｌ、Ｖｅｒｓｉｏｎ６（ＩＰｖ６）Ｓｐｅｃｉｆｉｃａｔｉｏｎ」（ＲＦＣ２４６０、１９９８年１２月）
【００１７】
本明細書で使用する際、「データ・ネットワーク」とは、１つまたは複数の通信ネットワーク、チャネル、リンク、またはパス、およびそのようなネットワーク、チャネル、リンク、またはパス上でデータを回すために使用されるシステムまたはデバイス（ルータなど）をさすことができる。
【００１８】
したがって、当業者なら通信システム１００はＵＥ１２０とデータ・ネットワーク１２５の間の通信を容易にすることを諒解しよう。しかしながら、図１の通信システム１００の構成は本来例示的なものであり、より少ないまたは追加の構成要素を本発明の趣旨および技術から逸脱せずに通信システム１００の他の実施形態で使用することができることを理解されたい。
【００１９】
別段に特記されていない場合、または議論から明らかな場合、「処理」または「コンピューティング」または「計算」または「決定」または「表示」などの用語はコンピュータ・システムの作用およびプロセス、またはコンピュータ・システムのレジスタおよびメモリ内の物理的、電子的量として表されるデータを操作し、コンピュータ・システムのメモリまたはレジスタまたは他のそのような情報記憶、送信または表示装置内の物理的量として同様に表される他のデータに変換する同様の電子コンピューティング・デバイスをさす。
【００２０】
次に図２を参照すると、例示的なノードＢ１３０およびＵＥ１２０に関連する機能構造の一実施形態のブロック図が示されている。ノードＢ１３０はインターフェース・ユニット２００、コントローラ２１０、アンテナ２１５および複数のチャネル、すなわち共用チャネル２２０、データ・チャネル２３０、および制御チャネル２４０を含む。図示の実施形態のインターフェース・ユニット２００はノードＢ１３０とＲＮＣ１３８の間の情報のフローを制御する（図１参照）。コントローラ２１０は概して、アンテナ２１５および複数のチャネル２２０、２３０、２４０上でのデータおよび制御信号の送信と受信の両方を制御して、インターフェース・ユニット２００を介して受信した情報の少なくとも一部分をＲＮＣ１３８に伝達するように動作する。
【００２１】
ＵＥ１２０はノードＢ１３０といくつかの機能属性を共用する。たとえば、ＵＥ１２０はコントローラ２５０、アンテナ２５５および複数のチャネル、すなわち共用チャネル２６０、データ・チャネル２７０、および制御チャネル２８０を含む。コントローラ２５０は概して、アンテナ２５５および複数のチャネル２６０、２７０、２８０上でのデータおよび制御信号の送信と受信の両方を制御するように動作する。
【００２２】
通常、ＵＥ１２０のチャネル２６０、２７０、２８０はノードＢ１３０の対応するチャネル２２０、２３０、２４０と通信する。コントローラ２１０、２５０の動作下で、チャネル２２０、２６０；２３０、２７０；２４０、２８０はＵＥ１２０からノードＢ１３０への通信のための制御された時間スケジューリングを実施するために使用される。たとえば、制御チャネル２８０は概してデータおよび／または制御情報をノードＢ１３０に送信する許可を要求するためにＵＥ１２０によって使用される。共用チャネル２２０はデータ・チャネル２７０および制御チャネル２８０を介してノードＢ１３０に送信することができる状況をＵＥ１２０に通知するためにノードＢ１３０によって使用される。そのような通信セッションを実施するプロセスについては図３の流れ図および図４のタイミング図とともにより詳細に説明する。
【００２３】
概して、ＵＥは、それがネットワークで動作することができる第１および第２の状態を有する。第１の状態では、ＵＥ１２０は複数のノードＢ１３０と接触し、これは時々ソフト・ハンドオフ（Ｓoft ＨandＯff：ＳＨＯ）と呼ばれる。第２の状態では、ＵＥ１２０はノードＢ１３０のただ１つと接触し、これはサービス側ノードＢと呼ばれる。本明細書で説明する方法論は、ＵＥがＳＨＯにないときにアップリンク上でＵＥ送信を調整する方法である。この方法は「時間スケジューリングされた」動作モードと呼ばれる。以下の説明および図面はＳＨＯ状態に入出し、時間スケジューリングされた動作モードにあるＵＥ１２０に関して提示される。
【００２４】
次に図３を参照すると、図１のノードＢ１３０の１つおよびＵＥ１２０の１つの相互動作を示す流れ図が示されている。図３の流れ図では、例示的なＵＥ１２０は時間スケジューリングされた動作モードに入っており、したがってＲＮＣ１３８は（３００で）ノードＢ１３０およびＵＥ１２０の動作を整合または同期させるためにノードＢ１３０を介して信号を供給する。図示の実施形態では、異なるＲＮＣ１３８に割り当てられる異なるノードＢ１３０が瞬時的なＲＮＣ１３８およびノードＢ１３０からの異なるシステム・クロックで動作している。したがって、ノードＢ１３０とＵＥ１２０の間の信号の適切なタイミングを保証するために、第１の動作は少なくとも、２つのデバイス間の通信を同期することである。図示の実施形態では、ＵＥ１２０は（３０５で）同期信号に応答して、制御およびデータ・チャネル２８０、２７０上で配信すべき信号のタイミングを整合（または再整合）する。ユニバーサル・クロック信号を利用する代替実施形態では、ＵＥ１２０が、すでに同期することができるので、ノードＢ１３０で、スケジューリングされた動作モードに最初に入るときに同期は不要であることがある。
【００２５】
ＵＥ１２０は、それがノードＢに送信することを望んでいる音声および／またはデータ信号を有する。しかしながら、ＵＥ１２０は、それがノードＢ１３０にデータ／音声を送信することが可能になる前に、まず許可を要求し、許可を受けなければならない。したがって、ＵＥ１２０は（３１０で）それがノードＢ１３０に送信すべきデータ／音声を有することを指示する報告信号を制御チャネル２８０上で周期的に送る。ノードＢ１３０は（３１５で）その制御チャネル２４０上で信号を受信し、ＵＥ１２０の状態を更新し、ＵＥ１２０がスケジューリングされた動作モードにあり、データ／音声情報を送信することを望んでいることを指示する。ノードＢ１３０はまた、ＵＥ１２０から受信した信号の品質および強度などのパラメータからのいくつかの情報を判定する。たとえば、信号の品質および強度に基づいて、ノードＢ１３０は、ＵＥ１２０がその送信電力を調節（増大または減少）する必要があるかどうかを判定することができる。
【００２６】
ノードＢ１３０は（３２０で）ＵＥ１２０からの要求に応答して、共用チャネル２２０上で信号を配信し、ノードＢ１３０に、その音声／データ信号をデータ・チャネル２７０上で配信する許可を与える。ノードＢ１３０は、各ＵＥ１２０が送信のために有する利用可能な電力および各ＵＥ１２０のデータ／音声バッファ・サイズについてＵＥから制御チャネル２４０上で得られる情報に基づいてＵＥ１２０の選択された１つに許可を付与する。ノードＢ１３０によって配信される許可付与信号は、ＵＥ１２０がその音声／データを送信することが許可される時刻およびそれが送信を完了もしくは中止しなければならない期間などの追加の情報を含むことができる。図示の実施形態では、ノードＢ１３０は図示の実施形態の次のクロック・サイクルなどの後続のクロック・サイクル中にデータのパケットなどのそのデータ／音声信号を供給するためにＵＥ１２０に許可を付与する。ノードＢ１３０によって経験される負荷に応じて、直ちにＵＥ１２０に応答することが不可能なことがあり、事実、ＵＥ１２０は周期的報告信号の２つまたはそれ以上が発生するまでデータ／音声情報を送信する許可を付与されないことがある。
【００２７】
さらに、ノードＢ１３０はまたＵＥ１２０によって供給すべきデータ／音声信号のパラメータに関する情報を供給することができる。たとえば、ノードＢ１３０は、ＵＥ１２０から受信した前の信号から導出される情報を使用して、ＵＥ１２０がその信号の電力および／またはタイミングを調整すべきであることを指示することができる。概して、ノードＢ１３０は、ＵＥ１２０内の電力を保存するためにその信号のパラメータを調節すること、ＵＥ１２０から受信した信号の品質を改善することなどを要求することができる。たとえば、弱い信号の電力を上げると、送信の品質を改善することができる。あるいは、過度に強い信号の電力を下げると、送信された信号の対応する品質損失なしにＵＥ１２０で電力を保存することができる。ＵＥ１２０から受信した前の信号から導出される情報を使用して、ノードＢ１３０はまた、ＵＥ１２０がアップリンク・データ送信を開始したときにそれが使用すべきデータ転送速度、送信期間、変調および符号化についての情報を導出することができる。したがって、ノードＢ１３０は共用チャネル２２０上で配信された信号でこの情報の一部あるいは全部をＵＥ１２０に供給するか、または全く供給しないことができる。
【００２８】
ＵＥ１２０は（３２５で）ノードＢ１３０からの信号を検査し、その送信パラメータがある場合、そのうちの調節する必要がある送信パラメータを判定する。いくつかの状況では、ＵＥ１２０は、その送信を修正するいずれかおよびすべての要求に留意することができる。他の場合、ＵＥ１２０はノードＢ１３０からの要求をオーバライドし、異なるパラメータを使用して、その信号を送信することを選ぶことができる。たとえば、ＵＥ１２０は、現在ＵＥ１２０に利用可能であるよりも多い電力を必要とするある事前選択されたデータ転送速度で送信するように定格することができる。この場合、ＵＥ１２０はノードＢ１３０によって付与されるよりも低いデータ転送速度で送信するように決定することができる。ＵＥ１２０は、この場合、制御チャネル２８０、２４０を介して新しい送信パラメータをノードＢ１３０に通知する役割を果たす。同様に、たとえば、ＵＥ１２０が大量のデータを送信する許可を付与されたが、次いでそれが送信すべきそれほど多くのデータを有しないと判定した場合、ＵＥ１２０は、そのデータを送信するために送信パラメータを変更することができる。たとえば、ＵＥ１２０は送信時間間隔を短縮することができ、またはＵＥ１２０は変調サイズを縮小することができ、またはＵＥ１２０はデータを送信するときに符号化速度を下げることができる。この場合、ＵＥ１２０は同じく、制御チャネル２８０、２４０を介してそれが行った変更をサービス側ノードＢ１３０に通知する役割を果たす。
【００２９】
決められた時刻に、ＵＥ１２０は（３３０で）データ・チャネル２７０上でその音声／データ信号またはパケットを送信し始める。実質的に同じ時刻に、ＵＥ１２０はまた制御チャネル２８０上で信号を送信することができる。ＵＥ１２０は制御チャネル２８０を使用して、データ・チャネル２７０上で供給されている信号に関連するパラメータを指示することができる。たとえば、少なくともＵＥ１２０がノードＢ１３０によって示唆されたパラメータをオーバライドした場合、ＵＥ１２０がデータ・チャネル２７０上で音声／データ信号を送信する際に使用したパラメータに関する情報をＵＥ１２０が提供するのに有用である。したがって、ノードＢ１３０は制御チャネル２８０上で提供された情報を使用して、データ・チャネル２３０上で受信された情報を復号することができる。
【００３０】
ノードＢ１３０は（３３５で）データ・チャネル２３０と制御チャネル２４０の両方の上で提供される情報を受信する。制御チャネル２４０上の情報はデータ・チャネル２３０上で提供される音声／データ信号を復号するために復号され、使用される。復号された音声／データ信号は次いでインターフェース・ユニット２００を介してシステム１００の様々な構成要素に転送される。
【００３１】
結局、ＵＥ１２０は、それがノードＢ１３０の２つ以上と通信する新しい所在地まで進行することができる。この時点で、ＵＥ１２０はスケジューリングされた状態を出て、スケジューリングされた状態がサポートされないソフト・ハンドオフ状態に入る。状態のこの変化は制御チャネル２７０上で事前選択された信号を配信するＵＥ１２０によってノードＢ１３０に（３７０で）伝達される。ノードＢ１３０は（３７５で）その信号に応答して、ＵＥ１２０はもはやＵＥ１２０のスケジューリングを停止することによってスケジューリングされた動作モードではなくなる。したがって、ＵＥがデータを送信する許可を要求するが、次いでノードＢ１３０が許可を付与する前にスケジューリング・モードを出る場合、ＵＥ１２０は、それがもはやスケジューリングされた動作モードではないことを指示する信号をその制御チャネル２８０上で供給する。したがって、ノードＢ１３０はＵＥ１２０にデータを送信する許可を付与する信号を送らないが、ＵＥによって提出された前の要求は無視される。
【００３２】
次に図４を参照すると、ノードＢ１３０と１対のＵＥ１２０の間のデータのスケジューリングおよび送信を示すタイミング図が示されている。タイミング情報の最上線４００は共有チャネル２２０上でノードＢ１３０によって配信される信号のタイミングを示す。タイミング情報の中央線４１０はデータ・チャネル２７０および制御チャネル２８０上でＵＥ１２０の第１のＵＥ１２０によって配信される信号のタイミングを示す。タイミング情報の最下線４２０はデータ・チャネル２７０および制御チャネル２８０上でＵＥ１２０の第２のＵＥ１２０によって配信される信号のタイミングを示す。最上線４００、中央線４１０および最下線４２０は、それらが同じ関係する時間スケールを使用することによって関係付けられる。
【００３３】
ＵＥ１２０の第１のＵＥ１２０は、それが報告動作モードに入り、その制御チャネル２８０上で信号４３０、４３１、４３２を周期的に発生することによっていつでも送信できる音声／データを有することを指示する。図示の実施形態では、ノードＢ１３０はその共用チャネル２２０上でＵＥ１２０の第１のＵＥ１２０に許可を付与する信号４４０に応答する。ノードＢ１３０によって送信された信号はまた、ＵＥ１２０の第１のＵＥ１２０が新しいデータを送信するかまたはデータの前のパケットを再送信する許可を付与されているかどうかに関する情報を含む。いくつかの状況では、ノードＢ１３０はＵＥ１２０によって送信されるデータのパケットを適切に受信することができないことがある。したがって、ノードＢ１３０がデータのパケットを再送信することを要求することが可能なようになされる。図示の実施形態では、ノードＢ１３０は、ＵＥ１２０の第１のＵＥ１２０がデータの新しいパケットを送る許可を付与されていることを指示する。したがって、ＵＥ１２０の第１のＵＥ１２０は、その信号に応答して新しいデータ４５０を送信する。図示の例示的な実施形態では、データ・パケットの送信時間間隔を多数の時間スロット（ＴＳ）とすることができる。図４の隣接するチック・マーク間の各間隔は固定数のスロットである。ＵＭＩＴでは、各時間スロットは０．６７ミリ秒であり、隣接するチック・マーク間には３ＴＳがある。しかしながら、隣接するチック・マーク間の間隔は任意の整数とすることができる当業者なら諒解しよう。図示の実施形態では、データのパケット４５０はチック・マーク間隔の１と２／３である５ＴＳスロットにわたって送信されるのが示されている。ＵＥ１２０は、送信時間間隔が共用チャネル２２０を使用して、ノードＢ１３０から送信されるのでそれがどのくらい長く送信することができるのかを「知っている」。概して、ＵＥ１２０はノードＢがそれに告げるのと同じくらい長い時間期間の間送信することになる。
【００３４】
時間線４２０に示されるように、ＵＥ１２０の第２のＵＥ１２０も、それが報告動作モードに入り、信号４６０、４６１、４６２、４６３を周期的に発生することによっていつでも送信できる音声／データを有することを指示している。しかしながら、許可はノードＢ１３０によって直ちに付与されない。事実、ＵＥ１２０の第２のＵＥ１２０は２つの周期信号４６０、４６１を発生し、ノードＢ１３０の第１のノードＢ１３０はノードＢが応答する前に単一の周期信号を発生する。ノードＢ１３０は、その共用チャネル２２０上でＵＥ１２０の第２のＵＥ１２０に新しいデータを送信する許可を付与する信号４７０に応答する。したがって、ＵＥ１２０の第２のＵＥ１２０は、その信号に応答して次のクロック・サイクル中に新しいデータ４７５を送信する。
【００３５】
新しいデータ４７５は周期信号４６０、４６１、４６２、４６３が送られるようスケジューリングされているクロック・サイクル中に送信されることに留意されたい。しかしながら、ＵＥ１２０はデータ・チャネル２７０上のパケットの送信に周期信号の送信よりも大きい重みが割り当てられている優先順位付けスキームを利用する。したがって、データ・チャネル２７０上のパケットの送信が制御チャネル２８０上の周期信号の送信と一致する場合、周期信号は少なくとも一時的に先取される。データ・チャネル２７０上のパケットは制御チャネル２８０上の制御信号を伴うことを想起されたい。したがって、図４に示すように、データ・パケットに関連する制御信号と周期信号の間には衝突があり、これは周期信号を少なくとも一時的に抑制することによって解決される。
【００３６】
ノードＢ１３０は次いでことによってＵＥ１２０の第１のＵＥ１２０の報告モード信号４３１に応答して、ＵＥ１２０にそのデータ／音声パケットを送る許可を付与する信号４８０を配信する。しかしながら、信号４８０は、それがパケットを再送信するよう要求する際に、信号４５０に関連するデータのパケットが適切に受信されなかったことを暗示的に指示する。したがって、ＵＥ１２０の第１のＵＥ１２０は（４８５で）応答して、そのデータ・チャネル２７０および制御チャネル２８０上でデータのパケットおよび関連する制御情報を再送する。
【００３７】
本明細書の様々な実施形態に示された様々なシステム・レイヤ、ルーチン、またはモジュールは（コントローラ２１０、２５０（図２参照）など）実行可能な制御ユニットとすることができる。コントローラ２１０、２５０はマイクロコンピュータ、マイクロコントローラ、デジタル信号プロセッサ、プロセッサ・カード（１つまたは複数のマイクロプロセッサまたはコントローラを含む）、または他の制御またはコンピューティング・デバイスを含むことができる。この議論で言及した記憶デバイスはデータおよび命令を記憶するための１つまたは複数の機械可読記憶媒体を含むことができる。記憶媒体は、ダイナミックまたはスタティック・ランダム・アクセス・メモリ（ＤＲＡＭまたはＳＲＡＭ）、消去可能およびプログラマブル読取り専用メモリ（ＥＰＲＯＭ）、電気的に消去可能およびプログラマブル読取り専用メモリ（ＥＥＲＯＭ）およびフラッシュ・メモリなどの半導体メモリ・デバイス、固定、プロッピー、取外し可能ディスクなどの磁気ディスク、テープを含む他の磁気媒体、コンパクト・ディスク（ＣＤ）またはデジタル・ビデオ・ディスク（ＤＶＤ）などの光学媒体を含む異なる形態のメモリを含むことができる。様々なシステムの様々なソフトウェア・レイヤ、ルーチン、またはモジュールを構成する命令はそれぞれの記憶デバイスに記憶することができる。命令がコントローラ２１０、２５０によって実行されると対応するシステムがプログラムされたステップを実行するようになる。
【００３８】
本発明は本明細書の教示の特典を有する当業者に明らかな異なるが均等な方法で改変および実行することができるので、上記で議論した特定の実施形態は例示的なものにすぎない。さらに、本明細書に示した構成および設計の詳細は、首記の特許請求の範囲に記載されているもの以外は限定的なものではない。したがって、方法、システムおよび記載の方法およびシステムの一部分は無線ユニット、基地局、基地局コントローラおよび／または移動交換センターなどの異なる所在地で実装することができる。さらに、記載のシステムを実装および使用するために必要な処理回路は、この開示の特典をもつ当業者なら理解するであろうアプリケーション特定集積回路、ソフトウェア駆動処理回路、ファームウェア、プログラマブル論理デバイス、ハードウェア、個別構成要素または上記の構成要素の構成で実装することができる。したがって、上記で開示した特定の実施形態は改変および修正することができることは明白であり、すべてのそのような変更は本発明の範囲および趣旨に入ると考えられる。したがって、本明細書で考えられる保護は首記の特許請求の範囲に記載されている。
【図面の簡単な説明】
【００３９】
【図１】本発明の一実施形態による通信システムのブロック図である。
【図２】図１の通信システムで使用されるノードＢおよびＵＥの一実施形態のブロック図である。
【図３】図１および図２のノードＢおよびＵＥの相互動作を示す流れ図である。
【図４】図１および図２のノードＢおよび２つのＵＥの相互動作を示すタイミング図である。
【符号の説明】
【００４０】
１００  通信システム
１２０  ＵＥ
１２５  データ・ネットワーク
１３０  ノードＢ
１３８  無線ネットワーク・コントローラ
１３９  複数の接続
１４５  接続
１６５  コア・ネットワーク
２００  インターフェース・ユニット
２１０  コントローラ
２１５  アンテナ
２２０  共用チャネル
２３０  データ・チャネル
２４０  制御チャネル
２５０  コントローラ
２５５  アンテナ
２６０  共用チャネル
２７０  データ・チャネル
２８０  制御チャネル
【図１】
2004350293.tif 000003
【図２】
2004350293.tif 000004
【図３】
2004350293.tif 000005
【図４】
2004350293.tif 000006